(57)【特許請求の範囲】
【請求項１】
透明板状体であって、その周囲の一端面に面して配置された点光源アレイからの光がその点光源アレイに面した端面から透明板状体内に入射し、内部反射により導光された光が透明板状体の少なくとも表面に配置された散乱源により散乱されて透明板状体の表面側に散乱されて出ることにより、面状の光源として使用される面光源用導光板において、
前記透明板状体の少なくとも表面に前記端面に沿って伸び、前記端面に直交する方向に高さが分布している断面Λ字形状の線状突起、あるいは、前記端面に沿って一定間隔で整列して設けられ、前記端面に直交する方向に高さが分布している微小な点状突起の列からなる散乱源が配置されており、前記透明板状体の表面側に散乱される光の輝度が面内で略均一になるように、前記断面Λ字形状の線状突起又は前記微小な点状突起の列の前記端面に沿った方向の高さ分布が、前記端面近傍においては、前記光源アレイ中の点光源に対応して輝度が最大になる位置で高さが最小になり、点光源と点光源の間の輝度が最小になる位置で高さが最大になるように波状に変化し、点光源と点光源の間の輝度が最小になる位置では、前記端面に直交する方向へ進むに従って、散乱係数分布が一旦減少し、次いで増加に転じるように、また、点光源に対応して輝度が最大になる位置では、前記端面に直交する方向へ進むに従って、散乱係数分布が増加するように、前記断面Λ字形状の線状突起又は前記微小な点状突起の列の高さ又は前記端面に直交する方向のピッチの少なくとも一方が変化していることを特徴とする面光源用導光板。
【請求項２】
前記端面から離れた位置での前記断面Λ字形状の線状突起又は前記微小な点状突起の列の前記端面に沿った方向の高さ分布が、局所的な散乱係数分布の不均一を補正するために変動していることを特徴とする請求項１記載の面光源用導光板。
【請求項３】
前記透明板状体の表面と裏面の両面に、前記断面Λ字形状の線状突起又は前記微小な点状突起の列からなる散乱源が配置されていることを特徴とする請求項１又は２記載の面光源用導光板。
【請求項４】
前記請求項１から３の何れか１項記載の面光源用導光板と、その散乱光射出側に配置された断面鋸歯状の微細なプリズムが前記面光源用導光板側あるいは前記面光源用導光板とは反対側の面に設けられてなるプリズムシートとを備えていることを特徴とする面光源装置。
【発明の詳細な説明】
【技術分野】
【０００１】
本発明は、面光源用導光板とそれを用いた面光源装置に関し、特に、例えば透過型液晶表示装置等におけるバックライトのための面光源用導光板に関するものである。
【背景技術】
【０００２】
例えば透過型液晶表示装置を背面から均一に照明するために、裏面にＶ字形状の微細な反射面からなる散乱源を配置した導光板であって、その一辺にＬＥＤ等の点光源を複数配置したり、その角に１個の点光源を配置する面光源用導光板が知られている（特許文献１）。
【特許文献１】特開２００１−２４３８２２号公報
【特許文献２】再公表特許ＷＯ２００２／００８６６２号公報
【特許文献３】実用新案登録第２５０７０９２号公報
【発明の開示】
【発明が解決しようとする課題】
【０００３】
しかしながら、点光源を一辺に沿って複数配置する場合に、一辺に沿った方向の散乱源の形状を工夫することは行われておらず、また、角に点光源を配置するものにおいては、より明るくするために、複数の点光源を配置する場合に、散乱源の形状を如何にすべきかは検討されていない。そのため、ＬＥＤ等の点光源アレイを用いて液晶表示装置用のバックライトを構成する場合、明るく均一な照明を得ることは困難であった。
【０００４】
本発明は従来技術のこのような問題点に鑑みてなされたものであり、その目的は、ＬＥＤ等の点光源アレイを光源に用いる場合に、面内の輝度が一様でバラツキがない明るい面光源用導光板とそれを用いた面光源装置を提供することである。
【課題を解決するための手段】
【０００５】
上記目的を達成する本発明の面光源用導光板は、透明板状体であって、その周囲の一端面に面して配置された点光源アレイからの光がその点光源アレイに面した端面から透明板状体内に入射し、内部反射により導光された光が透明板状体の少なくとも表面に配置された散乱源により散乱されて透明板状体の表面側に散乱されて出ることにより、面状の光源として使用される面光源用導光板において、
前記透明板状体の少なくとも表面に前記端面に沿って伸び、前記端面に直交する方向に高さが分布している断面Λ字形状の線状突起、あるいは、前記端面に沿って一定間隔で整列して設けられ、前記端面に直交する方向に高さが分布している微小な点状突起の列からなる散乱源が配置されており、前記透明板状体の表面側に散乱される光の輝度が面内で略均一になるように、前記断面Λ字形状の線状突起又は前記微小な点状突起の列の前記端面に沿った方向の高さ分布が、前記端面近傍においては、前記光源アレイ中の点光源に対応して輝度が最大になる位置で高さが最小になり、点光源と点光源の間の輝度が最小になる位置で高さが最大になるように波状に変化し、点光源と点光源の間の輝度が最小になる位置では、前記端面に直交する方向へ進むに従って、散乱係数分布が一旦減少し、次いで増加に転じるように、また、点光源に対応して輝度が最大になる位置では、前記端面に直交する方向へ進むに従って、散乱係数分布が増加するように、前記断面Λ字形状の線状突起又は前記微小な点状突起の列の高さ又は前記端面に直交する方向のピッチの少なくとも一方が変化していることを特徴とするものである。
【０００６】
この場合、前記端面から離れた位置での前記断面Λ字形状の線状突起又は前記微小な点状突起の列の前記端面に沿った方向の高さ分布が、局所的な散乱係数分布の不均一を補正するために変動していることが望ましい。
【０００７】
また、前記透明板状体の表面と裏面の両面に、前記断面Λ字形状の線状突起又は前記微小な点状突起の列からなる散乱源が配置されているものとすることもできる。
【０００８】
本発明は、以上の面光源用導光板と、その散乱光射出側に配置された断面鋸歯状の微細なプリズムが前記面光源用導光板側あるいは前記面光源用導光板とは反対側の面に設けられてなるプリズムシートとを備えている面光源装置を含むものである。
【発明の効果】
【０００９】
本発明によると、点光源アレイを光源に用いる場合に、面内の輝度が一様でバラツキがない明るい面光源用導光板とそれを用いた面光源装置を得ることができ、透過型液晶表示装置のバックライト等に用いる場合にも、表示面内の輝度が一様でバラツキがない明るい面光源用導光板を提供することができる。
【発明を実施するための最良の形態】
【００１０】
以下に、本発明の面光源用導光板の原理とその原理に基づいて得られる面光源用導光板の実施例を説明する。
【００１１】
まず、本発明の面光源用導光板の設計原理について説明する。
【００１２】
簡単のため、図１に示すように、長方形の外形を持つ導光板１の一端面１５に面して光源１０が配置されているものとする。光源１０としては、端面１５に面して平行に配置された線状光源でもよいが、ＬＥＤのような点光源１０1 〜１０s からなる点光源アレイを用いてもよい。このような光源１０からの端面１５における入射光量分布をＩ0 とする。図１には、端面１５における入射光量分布Ｉ0 が光源１０の発光光量分布に依存して分布することを模式的に図示してある。この端面１５における入射光量分布Ｉ0 は、光源１０からの入射光量を計算によって求めてもよいし、実測してもよい（図２のステップＳＴ１）。
【００１３】
そして、導光板１の端面１５を光源１０に沿う方向に微小なＮ個の面に等分割し、ｎ番目の微小面１５n における入射光量をＩ0nとする（ステップＳＴ２）。
【００１４】
入射面１５n から出発し、図１のような極座標系における角度θ方向でΔθ内に放射される光束を考え、その半径方向に微小な長さΔｒで分割したＭ個の微小な領域２1 、・・・、２m 、・・・・２M を考える（ステップＳＴ３）。
【００１５】
Ｍ＝１における微小領域２1 に入射する光量Ｉ0nとその領域からの出射する光量Ｉ1nは、その領域内の散乱係数をＫ（ｒ，θ）とすると、
Ｉ1n＝Ｉ0n・Θ（θ）・ｅｘｐ｛−Ｋ（ｒ，θ）・Δｒ｝          ・・・（１）
となる。ただし、Θ（θ）は入射面１５n からの光の角度分布関数である。
【００１６】
以下同様に、半径方向の各領域２m については、
Ｉ2n＝Ｉ1n・ｅｘｐ｛−Ｋ（ｒ，θ）・Δｒ｝
・・・・・・
Ｉmn＝Ｉm-1n・ｅｘｐ｛−Ｋ（ｒ，θ）・Δｒ｝                  ・・・（２）
となる。上記（１）、（２）の漸化式の計算をθmax 〜θmin の範囲で順に行う。ここで、θmax とθmin は入射面１５n からの光の角度分布Θ（θ）で決まる最大、最小の角度である（ステップＳＴ４）。
【００１７】
以上の計算を端面１５の全ての微小面１５1 〜１５N について繰り返す。
【００１８】
導光板１の面内における各位置について、以上の計算で得られた各微小領域の入射光量と出射光量の差分を全て重ね合わせた結果が、導光板１からの散乱光強度Ｄ（ｘ，ｙ）となる（ステップＳＴ５）。ここで、座標（ｘ，ｙ）は導光板１の面内の座標である。
【００１９】
このようにして得られた散乱光強度分布Ｄ（ｘ，ｙ）から面内バラツキ（Ｄmax −Ｄmin ）／Ｄmax と散乱効率∬Ｄ（ｘ，ｙ）ｄｘｄｙ／ΣＩ0nを求め、それぞれ次の条件を満足するか否かを判定する（ステップＳＴ６）。ここで、Ｄmax は導光板１の面内で散乱光の強度の最大値、Ｄmin は最小値である。
【００２０】
（Ｄmax −Ｄmin ）／Ｄmax ≦δ                                ・・・（３）
∬Ｄ（ｘ，ｙ）ｄｘｄｙ／ΣＩ0n≧Ｅ0                           ・・・（４）
ここで、δとしては例えば０．１５（１５％）望ましくは０．１０（０．１０％）が設定され、Ｅ0 としては例えば０．７（７０％）望ましくは０．９（９０％）が設定される。
【００２１】
このようにして得られた散乱光強度分布Ｄ（ｘ，ｙ）と希望する散乱光強度分布Ｄ0 （ｘ，ｙ）とから各点（ｘ，ｙ）での誤差ΔＤ（ｘ，ｙ）
Ｄ（ｘ，ｙ）−Ｄ0 （ｘ，ｙ）＝ΔＤ（ｘ，ｙ）                  ・・・（５）
を求め（ステップＳＴ７）、その誤差ΔＤ（ｘ，ｙ）を極座標系ΔＤ（ｒ，θ）に変換し（ステップＳＴ８）、それを各点の散乱係数Ｋ（ｒ，θ）からＫ（ｒ，θ）−ΔＤ（ｒ，θ）と減算し、それを
Ｋ（ｒ，θ）←Ｋ（ｒ，θ）−ΔＤ（ｒ，θ）                    ・・・（６）
と新たな散乱係数Ｋ（ｒ，θ）とし（ステップＳＴ９）、再度以上の演算を繰り返し、最適なＫ（ｒ，θ）を求める。
【００２２】
上記の手順で得られた最適なＫ（ｒ，θ）を導光板１の面内の直交座標に変換し、Ｋ（ｘ，ｙ）を求める（ステップＳＴ１０）。
【００２３】
この散乱係数Ｋ（ｘ，ｙ）は、導光板１の厚さをＴ（ｘ，ｙ）、その表面に配置された散乱体の高さをＨ（ｘ，ｙ）、その散乱体の密度をＰ（ｘ，ｙ）とすると、
Ｋ（ｘ，ｙ）＝Ｃ・Ｈ（ｘ，ｙ）・Ｐ（ｘ，ｙ）／Ｔ（ｘ，ｙ）    ・・・（７）
となる（ステップＳＴ１１）。ここで、Ｃは散乱体の形状による散乱効率を表す係数である。
【００２４】
以上の処理の流れを図示すると、図２のフローチャートとなる。
【００２５】
ここで、本発明においては、導光板１の表面に設ける散乱体２０としては、図３（ａ）に示すように、導光板１の表面１１に端面１５に沿うＹ軸方向に伸び、端面１５に直交するＸ軸方向に分布している断面Λ字形状の線状突起２１、図３（ｂ）に示すように、導光板１の表面１１にＹ軸方向に一定間隔で整列して設けられ、Ｘ軸方向に分布している微小な点状突起の列２２等を想定している。
【００２６】
そして、図４に示すように、Ｘ軸方向の長さ、それに直交するＹ軸方向の長さがそれぞれ単位長さの導光板１の任意の位置の単位セル２' を想定し、単位セル２' における散乱体２０のＸ軸方向の繰り返し寸法（ピッチ）をｐx （ｘ，ｙ）、Ｙ軸方向の繰り返し寸法（ピッチ）をｐy （ｘ，ｙ）、散乱体２０のＹ軸方向の幅をＷ（ｘ，ｙ）、単位セル２' の厚さをＴ（ｘ，ｙ）とすると、式（７）は、
Ｋ（ｘ，ｙ）＝Ｃ・Ｈ（ｘ，ｙ）・Ｗ（ｘ，ｙ）
／｛Ｔ（ｘ，ｙ）・ｐx （ｘ，ｙ）・ｐy （ｘ，ｙ）｝
・・・（８）
となる。
【００２７】
よって、散乱係数Ｋ（ｘ，ｙ）を決定するには、Ｈ（ｘ，ｙ），Ｗ（ｘ，ｙ），Ｔ（ｘ，ｙ），ｐx （ｘ，ｙ），ｐy （ｘ，ｙ）の何れを変化させてもよい。
【００２８】
以上の式（８）から、希望する散乱光強度分布Ｄ（ｘ，ｙ）（＝一定値）を与える導光板１が得られる。
【００２９】
なお、散乱体２０が図３（ａ）に示すようなＹ軸方向に伸び、Ｘ軸方向に分布している断面Λ字形状の線状突起２１の場合は、式（８）は次の式（８）’のように書かれる。
【００３０】
Ｆ（ｘ，ｙ）
＝Ｃ’・Ｈ（ｘ，ｙ）／Ｔ（ｘ，ｙ）・ｐx （ｘ，ｙ）        ・・・（８）’
次に、以上のような原理に基づいて得られた本発明の面光源用導光板の実施例について説明する。
【００３１】
図５は、導光板１の光源のＬＥＤ１０1 〜１０s のアレイが面している端面１５における光強度分布を示す図である。この実施例において、光源１０としては、６個のＬＥＤ１０1 〜１０s が１２ｍｍ間隔で配置されているものを用いている。導光板１としては、入射端の辺のＹ軸方向の長さ７４ｍｍ、その端面１５に直交するＸ軸方向の長さが５０ｍｍ、厚さが０．７ｍｍのものを用いている。
【００３２】
図６は上記のようにして算出された導光板１の表面１１の散乱係数分布Ｋ（ｘ，ｙ）を示す図である。そして、図７は、図６のような散乱係数分布を得るための導光板１の表面１１に配置される断面Λ字形状の線状突起２１の高さ分布Ｈ（ｘ，ｙ）を示す図である。ただし、線状突起２１の端面１５に直交するＸ軸方向のピッチは２００μｍで、線状突起２１は相互に平行にＹ軸方向に伸びるように設けられる。図８は、その線状突起２１のＹ軸方向の高さ分布を示す図である。図８では、入射端（Ｘ＝０ｍｍ）、１／４の位置（Ｘ＝１２．５ｍｍ）、１／２の位置（Ｘ＝２５ｍｍ）、３／４の位置（Ｘ＝３７．５ｍｍ）、反対端（５０ｍｍ）での線状突起２１のＹ軸方向の高さ分布を示してある。また、図９は、線状突起２１のＸ軸方向の高さ分布を示す図である。図９では、端面１５中心近傍において点光源（ＬＥＤ）に対応した輝度が最大になる位置のＸ軸方向の高さ分布と、点光源（ＬＥＤ）と点光源（ＬＥＤ）の間の輝度が最小になる位置のＸ軸方向の高さ分布とを示してある。この導光板１の面内の輝度分布は図１０に示す通りであり、面内輝度分布が略均一で一様であり、明るく高効率な面光源用導光板が得られることが分かる。
【００３３】
図６〜図１０から明らかなように、この実施例の構成においては、入射端１５近傍においては、点光源アレイ１０を配置する場合、線状突起２１の端面１５に沿ったＹ軸方向の高さ分布は、入射端近傍においては、光源アレイ中の点光源に対応して輝度が最大になる位置で高さは最小になり、点光源と点光源の間の輝度が最小になる位置で高さが最大になるように波状に変化する。
【００３４】
そして、入射端１５から入射端１５に直交するＸ軸方向へ進むに従って、線状突起２１の高さは、点光源に対応して輝度が最大になる位置では増加し、点光源と点光源の間の輝度が最小になる位置では一旦減少し、次いで増加に転じ、その後は点光源に対応して輝度が最大になる位置と略同様に増加する。
【００３５】
さらに、入射端１５から離れた位置でのＹ軸方向の高さ分布は、局所的な散乱係数の不均一を補正するために若干変動している。
【００３６】
しかしながら、式（８）’の関係から、Ｘ軸方向の高さＨ（ｘ，ｙ0 ）はＸ軸方向のピッチｐx （ｘ，ｙ0 ）と反比例の関係にあるので、線状突起２１のＸ軸方向のピッチを２００μｍに固定せずに、点光源と点光源の間の輝度が最小になる位置でのＸ軸方向の高さをＸ軸方向何れの位置でも１０μｍに設定すると（図８の入射端での曲線のピーク位置での、入射端の曲線、１／４の位置の曲線、１／２の位置の曲線、３／４の位置の曲線、反対端の曲線の高さがそれぞれ１０μｍになるようにそれぞれの曲線を縦方向に伸縮させることに等しい。）、上記実施例では、図１１に示すように、線状突起２１の端面１５に直交するＸ軸方向のピッチは、Ｘ軸方向へ進むに従って一旦増加し、次いで減少に転じる。その場合でも、線状突起２１の端面１５に沿ったＹ軸方向の高さ分布は、入射端近傍においては、光源アレイ中の点光源に対応して輝度が最大になる位置で高さは最小になり、点光源と点光源の間の輝度が最小になる位置で高さが最大になるように波状に変化する。そして、図８と図１１から、入射端１５からＸ軸方向へ進むに従って、線状突起２１の高さは、点光源に対応して輝度が最大になる位置では一定距離の間増加し、その後は略同じになり、点光源と点光源の間の輝度が最小になる位置では当然一定（１０μｍ）のままに推移する。
【００３７】
また、以上の考察から、Ｘ軸方向何れの位置でも線状突起２１の高さを一定に設定するＹ軸方向の位置を、点光源に対応して輝度が最大になる位置にすると（図８の入射端での曲線の谷位置での、入射端の曲線、１／４の位置の曲線、１／２の位置の曲線、３／４の位置の曲線、反対端の曲線の高さが何れも同じになるようにそれぞれの曲線を縦方向に伸縮させることに等しい。）、線状突起２１の端面１５に直交するＸ軸方向のピッチは、Ｘ軸方向へ進むに従って減少する。その場合でも、線状突起２１の端面１５に沿ったＹ軸方向の高さ分布は、入射端近傍においては、光源アレイ中の点光源に対応して輝度が最大になる位置で高さは最小になり、点光源と点光源の間の輝度が最小になる位置で高さが最大になるように波状に変化する。そして、入射端１５からＸ軸方向へ進むに従って、線状突起２１の高さは、点光源に対応して輝度が最大になる位置では当然一定のまま推移し、点光源と点光源の間の輝度が最小になる位置では、一定距離の間減少し、その後は略同じになる。
【００３８】
以上より、線状突起２１の端面１５に沿ったＹ軸方向の高さ分布は、入射端１５近傍においては、光源アレイ中の点光源に対応して輝度が最大になる位置で高さは最小になり、点光源と点光源の間の輝度が最小になる位置で高さが最大になるように波状に変化し、点光源と点光源の間の輝度が最小になる位置では、端面１５に直交するＸ軸方向へ進むに従って、散乱係数分布が一旦減少し、次いで増加に転じるように、また、点光源に対応して輝度が最大になる位置では、端面１５に直交するＸ軸方向へ進むに従って、散乱係数分布が増加するように（図６）、線状突起２１の高さ又は線状突起２１のピッチの少なくとも一方が変化している。そして、入射端１５から離れた位置でのＹ軸方向の高さ分布は、局所的な散乱係数分布の不均一を補正するために若干変動している。
【００３９】
図１２に、以上のようにして構成された本発明の面光源用導光板１の表面１１に設けられる断面Λ字形状の線状突起２１の一部を模式的に示す。各線状突起２１は、上記のように、Ｙ軸方向に局所的な散乱係数分布の不均一を補正するためにその高さが変動するように設けられる。
【００４０】
ところで、以上の実施例においては、面光源用導光板１の表面１１にのみ以上のような高さ分布の線状突起２１あるいは点状突起の列２２を設けるものとしているが、面光源用導光板１の裏面１２にも表面に設けたのと同様の線状突起２１あるいは点状突起の列２２を設けるようにして、面光源用導光板１の表面側及び裏面側両方に均一で明るい照明が可能な面光源用導光板が得られる。ただし、この場合、裏面側にも表面側と同様に導光された光が散乱されて出るので、表面及び裏面の線状突起２１あるいは点状突起の列２２について、図９の端面１５に直交するＸ軸方向の高さ分布のカーブの増加傾向はより大きくなり、また、図１１の端面１５に直交するＸ軸方向のピッチのカーブの減少傾向はより大きくなるが、全体の分布形状は同様である。
【００４１】
次に、以上のような本発明の面光源用導光板を用いた面光源装置の構成例を図１３に示す。図１３（ａ）〜（ｃ）は何れも光源の点光源アレイ１０に面する端面１５に直交するＸ軸方向にとった要部の断面図であり、点光源アレイ１０中の１個の点光源（ＬＥＤ）を符号１０t で示してある。図１３（ａ）、（ｂ）の例は、面光源用導光板１の表面１１のみに本発明による線状突起２１を配置した例であり、図１３（ｃ）の例は、面光源用導光板１の表面１１と裏面１２の両方に本発明による線状突起２１を配置した例である。
【００４２】
図１３（ａ）の構成は、表面１１に本発明に基づいて高さが分布している線状突起２１を設けた面光源用導光板１の散乱光射出側（表面１１側）に断面鋸歯状の微細なプリズムが面光源用導光板１側の面に設けられたプリズムシート３１を配置し、その射出側に拡散板３５を配置している。ここで、プリズムシート３１は例えば特許文献２で提案されているプリズムシートであり、面光源用導光板１の表面１１から外へ散乱された光を正面方向へ集束させるものである。なお、この構成において、拡散板３５は省いてもよい。
【００４３】
図１３（ｂ）の構成は、表面１１に本発明に基づいて高さが分布している線状突起２１を設けた面光源用導光板１の散乱光射出側（表面１１側）に拡散板３５を配置し、その射出側に断面鋸歯状の微細なプリズムが面光源用導光板１とは反対側の面に設けられたプリズムシート３２を配置している。ここで、プリズムシート３２は例えば特許文献３で提案されているプリズムシートであり、面光源用導光板１の表面１１から外へ散乱され拡散板３５を経た光を正面方向へ集束させるものである。
【００４４】
図１３（ｃ）の構成は、面光源用導光板１の表面１１と裏面１２の両方に本発明に基づいて高さが分布している線状突起２１を設け、表面１１側及び裏面１２側両方に、図１３（ａ）の場合と同様に、断面鋸歯状の微細なプリズムが面光源用導光板１側の面に設けられたプリズムシート３１を配置し、各プリズムシート３１の射出側に拡散板３５を配置して構成され、単一の面光源用導光板１で２個の透過型液晶表示装置等を照明するようにした例である。この場合も、拡散板３５は省いてもよい。なお、表面１１側及び裏面１２側両方に、図１３（ｂ）の場合と同様に、拡散板３５とプリズムシート３２を配置するようにしてもよい。
【００４５】
以上、本発明の面光源用導光板とそれを用いた面光源装置をその設計原理と実施例に基づいて説明してきたが、本発明はこれら実施例に限定されず種々の変形が可能である。なお、断面Λ字形状の線状突起２１は断面形状が二等辺三角形であっても、図１３（ａ）〜（ｃ）に示すように不等辺三角形であってもよい。
【図面の簡単な説明】
【００４６】
【図１】本発明の面光源用導光板の設計原理を説明するための図である。
【図２】本発明の面光源用導光板を得るためのフローチャートである。
【図３】散乱体の構成を説明するための斜視図である。
【図４】単位セルにおける散乱体の繰り返し寸法、散乱体の幅を説明するための図である。
【図５】本発明の１実施例における面光源用導光板の端面での光強度分布を示す図である。
【図６】本発明の１実施例の面光源用導光板の表面の散乱係数分布を示す図である。
【図７】図６のような散乱係数分布を得るための導光板表面に配置される線状突起の高さ分布を示す図である。
【図８】図７の線状突起のＹ軸方向の高さ分布を示す図である。
【図９】図７の線状突起のＸ軸方向の高さ分布を示す図である。
【図１０】本発明の１実施例の面光源用導光板の面内の輝度分布を示す図である。
【図１１】線状突起のＸ軸方向のピッチを変化させる例におけるＸ軸方向のピッチの変化を示す図である。
【図１２】本発明の面光源用導光板の表面に設けられる断面Λ字形状の線状突起の一部を模式的に示す図である。
【図１３】本発明の面光源用導光板を用いた面光源装置の構成例を示す図である。
【符号の説明】
【００４７】
１…面光源用導光板
２1 、２m 、２M …微小領域
２’…単位セル
１０…光源
１０1 〜１０s 、１０t …点光源（ＬＥＤ）
１１…導光板の表面
１２…導光板の裏面
１５…導光板の端面
１５1 、１５n 、１５N …微小面（入射面）
２０…散乱体
２１…線状突起
２２…点状突起の列
３１…プリズムシート
３２…プリズムシート
３５…拡散板
【図１】
0004565570.tif 000002
【図２】
0004565570.tif 000003
【図３】
0004565570.tif 000004
【図４】
0004565570.tif 000005
【図５】
0004565570.tif 000006
【図６】
0004565570.tif 000007
【図７】
0004565570.tif 000008
【図８】
0004565570.tif 000009
【図９】
0004565570.tif 000010
【図１０】
0004565570.tif 000011
【図１１】
0004565570.tif 000012
【図１２】
0004565570.tif 000013
【図１３】
0004565570.tif 000014